(57)【特許請求の範囲】
【請求項１】
脚支柱としてのガスシリンダと、前記ガスシリンダの上端に固定された座受けと、前記座受けで支持された座体と、背部が取付く揺動フレームと、前記揺動フレームの後傾動を弾性的に支持する弾性手段とを備えており、
前記座受けは、底板と左右の側板とを備えて上向きに開口した形態であり、この座受けにおける底板の下面に、当該座受けの下面に重なる上板とこの上板の左右両端から下向きに突出した左右側板とを有する正面視下向き開口コ字状のブラケットが固着されており、
前記ガスシリンダの上端を、前記座受けの底板とブラケットの上板とに貫通すると共に座受けの底板に固着されたブッシュに嵌着している一方、前記揺動フレームを、左右長手のピンによって前記ブラケットの左右側板に後傾動自在に取り付けている、
ロッキング椅子。
【請求項２】
前記ブッシュの上端は座受けに固着された支持部材に溶接によって固着されている一方、前記ブラケットの上板には、前記ブッシュの下部がきっちり嵌まる嵌合穴と、前記嵌合穴の内周を部分的に広げた状態の複数の切欠きとが形成されており、前記切欠きの箇所においてブッシュと座受けとを溶接によって固着している、
請求項１に記載したロッキング椅子。
【発明の詳細な説明】
【０００１】
【発明の属する技術分野】
本発明は、ガスシリンダからなる脚支柱で座体を昇降させるロッキング椅子に関するものである。
【０００２】
【従来の技術】
ガスシリンダで座体が昇降するロッキング椅子は、一般に、ガスシリンダの上端に上向き開口の座受けを固定し、この座受けで座体を直接に又は中間金具を介して支持すると共に、座受けの左右側板に貫通したピンにより、背もたれが取り付く揺動フレームを後傾動自在に枢支し、揺動フレームの後傾動をばねで支持した構造になっている。
【０００３】
また、座体を座受けに対して後退動及び後傾動自在に取付け、座体と揺動フレームとをピンで連結することにより、背もたれの後傾動に連動して座体が後傾ししつ後退するようにしたシンクロタイプの椅子も広く知られている。
【０００４】
【発明が解決しようとする課題】
ところで、ガスシリンダの昇降ストロークには限度がある。この点、座体が上限の高さであるにもかかわらず低く感じる場合は、座体に座布団を敷くことによって対処できる。しかし、座体が下限の高さであるにもかかわらず高く感じる場合は対処方法がなく、使用者は我慢せざるを得ない。従って、座体の昇降は、身長の低い人に合わせて、下限高さ位置をできるだけ低くするのが好ましい。
【０００５】
この点については、ガスシリンダを座受けのできるだけ高い位置に取付ければ良いと考えられる。
【０００６】
しかし、揺動フレームの回動を許容するためには、揺動フレームの回動中心から座体の下面までにはある程度の寸法が必要であり、このため、従来のように揺動フレームを座受けに直接に取付けた状態の下でガスシリンダの取付け位置を高くすると、必然的に、座受けは深さの深いものに設計変更しなければならず、このため座受けが大型化して重量が増大する虞がある。
【０００７】
また、座受けの肉厚は自ずから限度があるため、ガスシリンダの取付け強度を向上することが難しい点も問題であった。
【０００８】
本発明は、これらの問題を解消することを目的とするものである。
【０００９】
【課題を解決するための手段】
請求項１の発明に係る椅子は、脚支柱としてのガスシリンダと、前記ガスシリンダの上端に固定された座受けと、前記座受けで支持された座体と、背部が取付く揺動フレームと、前記揺動フレームの後傾動を弾性的に支持する弾性手段とを備えている。
【００１０】
そして、前記座受けは、前記座受けは、底板と左右の側板とを備えて上向きに開口した形態であり、この座受けにおける底板の下面に、当該座受けの下面に重なる上板とこの上板の左右両端から下向きに突出した左右側板とを有する正面視下向き開口コ字状のブラケットが固着されており、前記ガスシリンダの上端を、前記座受けの底板とブラケットの上板とに貫通すると共に座受けの底板に固着されたブッシュに嵌着している一方、前記揺動フレームを、左右長手のピンによって前記ブラケットの左右側板に後傾動自在に取り付けている。
【００１１】
また、請求項２に係る発明は、請求項１において、前記ブッシュの上端は座受けに固着された支持部材に溶接によって固着されている一方、前記ブラケットの上板には、前記ブッシュの下部がきっちり嵌まる嵌合穴と、前記嵌合穴の内周を部分的に広げた状態の複数の切欠きとが形成されており、前記切欠きの箇所においてブッシュと座受けとを溶接によって固着している。
【００１２】
【発明の作用・効果】
本発明によると、揺動フレームの回動中心を下げることができるため、座体の上面とガスシリンダの上端との間の間隔を小さくすることができる。そのため、従来と同じ昇降ストロークのガスシリンダであっても、座体の下限高さを低くすることができ、身長の低い人にも満足を与えることができる。
【００１３】
そして、ブラケットは揺動フレームを枢支する強度があれば足り、大型のものを使用する必要はないため、座受けを大型化する場合に比べて、重量の増大を抑制できる。
【００１４】
更に、座受けの底板がブラケットによって補強された状態になるため、ブッシュの取付け強度を格段に高めることができ、その結果、ガスシリンダの取付け強度も向上することができる。
請求項２のように構成すると、取付け強度をよりいっそう向上することができる。
【００１５】
【発明の実施形態】
次に、本発明の実施形態を図面に基づいて説明する。
【００１６】
図１は椅子の右側面図、図２のうち（Ａ）は縦断側面図、（Ｂ）は要部の拡大断面図、（Ｃ）は（Ｂ）のＣ−Ｃ視断面図、図３は分離斜視図である。
【００１７】
椅子は、脚支柱としてのガスシリンダ１を備えた脚２と、ガスシリンダ２の上端に固定した上向き開口の座受け３と、座受け（ベース）３に上方から被さる中間金具４と、中間金具４の後方に配置した揺動フレーム５と、中間金具４と揺動フレーム５とで支持した座体６と、揺動フレーム５に取り付けた背部７とを備えている。
【００１８】
座受け３は底板３ｃと側板３ａとを備えており、開口縁にはフランジ３ｂを形成している。ガスシリンダ１は脚カバー８で覆われており、座受け３も上向きに開口したベースカバー９で下方から覆われている。
【００１９】
座受け３の内部の底面には支持部材１０を固着しており、ガスシリンダ１の上端３が嵌着したブッシュ１１の上端を支持部材１０に溶接している。また、座受け３における左右両側板３ａの前部には前後長手の長穴１２が空いており、この長穴１２と中間金具４の側板４ａとに第１ピン１３を挿入している。
【００２０】
座受け３における底板３ｃの下面には、上板１４ｄと左右一対の側板１４ａを備えた正面視下向き開口コ字状のブラケット１４が溶接やねじ止め等によって固着されている。一方、揺動フレーム５は、ブラケット１４の外側に位置する側板５ａを備えており、揺動フレーム５の前端部を、座受け３の側板３ａに貫通した第２ピン１５によってブラケット１４の側板１４ａに取付けている。
【００２１】
したがって、揺動フレーム５の回動中心はガスシリンダ１の上端よりもかなり下方に位置している。図２（Ｂ）（Ｃ）に示すように、ブラケット１４の上板１４ｄには、ブッシュ１１がきっちり嵌まる嵌合穴１４ｂと、嵌合穴１４ｂの内周を部分的に広げた状態の複数の切欠き１４ｃとが形成されており、この切欠き１４ｃの箇所でブッシュ１１を座受け３に溶接すると共に、ブラケット１４と座受け３とを溶接している。
【００２２】
揺動フレーム５と中間金具４とは第３ピン１６によって連結されている。例えば図３に示すように、揺動フレーム５には、左右方向に広がる翼状の受け板２０を固着している。座体６の後部は受け板２０で支持されている。また、受け板２０の傾斜部の外面に、肘掛け装置の支柱をねじで固定することができる。
【００２３】
揺動フレーム５が後傾すると第３ピン１６も第２ピン１５を中心にして下向き回動するが、座受け３の側板３ａを切欠いて（切欠き部を符号３ａ′で示す）、第３ピン１６を支持部材１０の上面に当てることにより、揺動フレーム５等の回動限度を規制している。
【００２４】
この場合、支持部材１０に形成した穴にゴム等の緩衝ストッパー１０′を嵌め込んで、回動停止時の衝撃を和らげている。緩衝ストッパー１０′は支持部材１０の上面に接着したりねじ止めしたりするなどしても良い。
【００２５】
図１や図２に示すように、座受け３の後部には、揺動フレーム５に貫通した下向きのロッド１７が回転不能に取付けられており、このロッド１７の下端部に設けたばね受け１８で、弾性手段の一例としてのコイルばね（図示せず）を支持しており、コイルばねで揺動フレーム５を受けている。コイルばねはホルダー１９に嵌まっている。
【００２６】
背部７は、着座した人の腰を包むように平面視で前向き凹状に形成された腰部アウター部材２１と、この腰部アウター部材２１に取付けた背受け２２とから成っている。腰部アウター部材２１は、揺動フレーム５の受け板２０に固定されている。図２に示すように、背受け２２は、アウターシェル２２ａと、その手前に配置したインナーシェル２２ｂと、その前面に張ったクッション２２ｃとから成っている。
【００２７】
以上の構成において、揺動フレーム５の回動中心である第２ピン１５はガスシリンダ１の上端よりもかなり下方に位置しているため、座体６の下降下限高さを低くして、身長の低い人も安定した状態で着座することができる。
【００２８】
そして、座受け３は大型化することなく、必要最小限度の重量のブラケット１４を設ければ足りるため、重量増大を抑制できる。また、ブラケット１４と座受け３とが二枚重ねになった部分にブッシュ１１が取付けられているため、ガスシリンダ１の取付け強度も高い。
【００２９】
特に、本実施形態のように、ブラケット１４に、ブッシュ１１にきっちり嵌まる嵌合穴１４ｂを形成すると共に、ブラケット１４と座受け３とをブッシュ１１の周囲において溶接すると、取付け強度をよりいっそう向上することができる。
【００３０】
また、本実施形態のように、支持部材１０を第３ピン１６に対するストッパーに兼用すると、第３ピン１６を広い面積で安定した状態で受けることができるため、耐久性を向上することができる。
【図面の簡単な説明】
【図１】第１実施形態に係る椅子の右側面図である。
【図２】 (A)は縦断右側面図、 (B)は部分拡大図、 (C)は (B)の C-C視断面図である。
【図３】座受けと中間金具と揺動フレームとの分離斜視図である。
【符号の説明】
１  ガスシリンダ
３  座受け
４  中間金具
５  揺動フレーム
６  座体
１０  支持部材
１１  ブッシュ
１４  ブラケット
１５  第２ピン
【図１】
0003748771.tif 000002
【図２】
0003748771.tif 000003
【図３】
0003748771.tif 000004